(57)【要約】【課題】プロジェクタの設置・片付けの手間が無く、自由な位置から見ることができ、ケーブル配線が邪魔にならず、省スペースで使い勝っての良いホームシアターシステムを提供すること。更には、室内空間を損なわずにホームシアターを楽しめる快適な室内環境を提供すること。【解決手段】非球面ミラーを搭載したフロント投射型プロジェクタを、ホームシアターシステムを構成する映像・音響機器を収納する家具で引き出し構造を有する収納家具に配置し、引き出し動作だけでプロジェクタを使用できる構造にし、プロジェクタ設置に関する各種調整を不要にした。更には、プロジェクタ１の収納スペース４０とホームシアターを構成する機器類を収納するスペース４５を壁２３の内部に設け、使用時にプロジェクタを壁の中から引き出す構造にした。また、隣室の壁に設置される収納家具４２の内部に前記収納スペース４０，４５を融合した。【選択図】      図１６
2004260564.tif 000002
【特許請求の範囲】
【請求項１】
映像，音響機器とフロント投射型のプロジェクタ、及び、スクリーン面で構成される一般的なホームシアターシステムにおいて、スクリーン面に隣接し、映像、音響機器等が共に収納される共通の収納家具の中に、プロジェクタが収納され、このプロジェクタ使用時に、プロジェクタ本体が前記収納家具から分離しない構造としたことを特徴とするホームシアターシステム。
【請求項２】
前記は収納家具に引き出し構造を有し、この引き出し構造を引出すことで前記プロジェクタを使用することを特徴とする請求項１に記載のホームシアターシステム。
【請求項３】
プロジェクタは最終段に非球面ミラーを配したことを特徴とする請求項１〜２に記載のホームシアターシステム。
【請求項４】
前記収納家具の天面中央部を四角く切り欠き、スライド板が内部に収納される構造とし、引出しの背面板の上部には回転板が具備され、回転板は２７０度回転する機構と構造を有していることを特徴とする請求項１〜３に記載のホームシアターシステム。
【請求項５】
前記収納家具にスクリーン面へ入る外光の量を軽減させる機能を持たせるため収納家具で囲う構造にする、あるいは収納家具の上部と両サイドに遮光板を具備することを特徴とする請求項１〜４に記載のホームシアターシステム。
【請求項６】
壁を挟んで隣接する二部屋において、一方の部屋で使用するプロジェクタの収納スペースを他方の部屋の空間と壁を用いて構成したことを特徴とするホームシアターシステム。
【請求項７】
プロジェクタが壁及び他方の部屋の空間に収納され、使用時にプロジェクタを壁面に対して垂直方向に引出してプロジェクタの設置を行う、ことを特徴とする請求項６に記載のホームシアターシステム。
【請求項８】
壁を挟んで隣接する部屋の壁面及び他方の部屋の空間を使うことにより、プロジェクタ及び、ホームシアターを構成する全ての映像、音響機器を壁の内部へ収納したことを特徴とする請求項６〜７に記載のホームシアターシステム。
【請求項９】
壁を挟んで隣接する二部屋で共有可能なプロジェクタの収納スペースと、床に設置されたレール上をレールに沿って移動する構造を有するプロジェクタの置き台と、置き台上に設けられた回転機構により、両方の部屋のスクリーン面へ画像を投射可能にしたことを特徴とするホームシアターシステム。
【請求項１０】
プロジェクタは最終段に非球面ミラーを配し、投射画面が常にプロジェクタ本体より上方に位置される光学特性を持つことを特徴とする請求項６〜９に記載のホームシアターシステム。
【発明の詳細な説明】
【０００１】
【発明の属する技術分野】
本発明は、ホームシアター等の大画面表示システムに関し、特に、省スペース性、室内空間の有効利用、使い易さ、快適さ、の改良に関する。
【０００２】
【従来の技術】
従来、この種の「収納型ホームシアターシステム」は、一般家庭において、大画面でホームシアターを楽しむ場合、６０インチ以上の画面サイズではフロント投射型プロジェクタが使用される。５０インチ位までであれば、プラズマディスプレイや、リア投射型プロジェクタが使用可能であるが、６０インチを越えると価格が大幅に上昇する他、表示装置自体の重量、容積が大きく、室内空間を圧迫する等、一般家庭においてはほとんど使用されない。また、７０インチ以上になればフロント投射型プロジェクタに選択肢は限定される。
【０００３】
本発明は、主としてこのフロント投射型プロジェクタにおけるホームシアターシステムの環境改善に関して考案されたものである。一般的なフロント投射型プロジェクタによるホームシアターの使用環境は、図２０に示される様である。図２０においては、従来のフロント投射型プロジェクタによる室内構成が実線にて示されている。壁面にスクリーン画面３があり、スクリーン下方の収納家具４にホームシアターシステムを構成する映像機器や音響機器が置かれている。図示されている部屋のスペースは６畳で、８０インチサイズの画面を投射したときの状態を示している。
【０００４】
プロジェクタ３１は市販されている最も投射距離が短いものであり、部屋の中央部のテーブル３３上に設置される。一方、プロジェクタ３２は一般的な投射距離を持つものであり部屋の後方端に置かれる。現在投射距離は最短の機種で８０インチの画面に対してスクリーン、レンズ間の距離が１．６ｍ程度であり、プロジェクタ本体を含めると２ｍ程度の投射間隔が必要である。一般の機種では、３ｍ前後の距離が必要となる。
【０００５】
この環境でホームシアターを楽しむ場合、観察者３４はプロジェクタの光路を避けた位置に座ることになる。或いは、プロジェクタの斜め投射に対する幾何学的歪を補正する機能を利用すれば、プロジェクタを観察者の横の方に置いて、観察者は光路との干渉をあまり気にせずに座り画像を正面から見ることができる。しかしながら、この場合は幾何学的歪補正機能で電気的に画素変換等の映像信号処理が行われるため、スクリーン面に映し出された画像は解像度が劣化したものとなる。解像度を劣化させず、光路と観測者との干渉も気にしないで済む方法として、プロジェクタを天井に設置することが行われるが、工事が必要になる等の煩わしさが発生する。また、テーブルと天井どちらに設置した場合も、プロジェクタは長いケーブルで映像信号源である機器と接続される。
【０００６】
一方、フロント投射型プロジェクタでありながら投射距離を格段に短縮させるために非球面ミラーを使用したプロジェクタの開発が進められている。非球面ミラーを使用したシステムの一例が、特開２００２−８２３８７号公報に記載されている。このシステム例では、ホームシアターを構成する映像機器や音響機器が収納可能な構造を持つ家具が、非球面ミラーを有する光学系を備えた投射装置のキャビネットとして構成されている。また、キャビネットとスクリーンが一体化され、ひとつのセットとして移動可能なシステムとなっている。そして、１６：９の７０インチ型スクリーンを搭載した場合、キャビネットサイズの奥行き寸法、高さが、おのおの３６ｃｍ、４２ｃｍで構成されることが記載されている。この例にもある様に、従来のフロント投射型プロジェクタの様にレンズを通しての拡大投射ではなく、非球面ミラーにより映像を拡大投射する方式のプロジェクタであれば、フロント投射型でありながら投射距離を極めて短くすることが実現可能である。
【０００７】
【特許文献１】
特開２００２−８２３８７号（第２−３頁、図２）
【０００８】
【発明が解決しようとする課題】
上述した従来の技術や方法、システムにより構成されるホームシアター等の大画面表示システムにはいくつかの問題がある。まず、図２０に代表される従来型のフロント投射型プロジェクタを使用したホームシアターシステムにおいては次の様な不具合がある。
（１）プロジェクタの投射距離が長いために、広いスペースが必要である。
（２）観察者と光路の干渉が起こりやすく視聴位置が限定される。
（３）視聴位置を優先すると画質劣化、天井設置工事等が発生する。
（４）プロジェクタへの信号配線用ケーブルが長く邪魔になる。
（５）プロジェクタの設置が部屋の中央近辺となるので据え置くことができず、その都度設置、片付けの手間が掛かる。また、設置場所を作るために物をどかしたり、持ってくる必要も出てくる他にプロジェクタの収納場所も必要である。
（６）プロジェクタの設置の際に、画面の位置、サイズ、フォーカス等の調整が毎度必要である。
（７）天井にプロジェクタを設置すると取り外しが効かず移動できない。工事と費用が掛かる。
また、特開２００２−８２３８７号公報に記載されたシステム例については、次の様な不具合が見られる。
（８）投射装置自体が収納家具であるキャビネット、及びスクリーンとの一体構造なっているため、画像サイズが固定されている。
（９）一体になっているスクリーンを除去して画面サイズを拡大しようとすると、キャビとスクリーンの間隔が開いて行くことになり使い勝手が悪い。或いは、スクリーン一体のまま画面サイズを大きくすればキャビネットサイズが大きくなっていく。
（１０）投射距離が固定であるので周囲が明るい場合に画面サイズを縮小して輝度を上げることができない。
（１１）大きなキャビネットと一体構造のため別な部屋へ移動ができない。そこで、本発明はこれらの不具合を解消すべく考えられたものである。本発明の目的は、設置、片付けの手間が無く、或いは簡単で、光路の干渉を気にせずに自由な位置から画像を見ることができ、ケーブル配線が邪魔にならず、画面サイズも可変でき極めて省スペースな大画面のホームシアターシステムを提供することにある。更には、室内の空間を圧迫することなくホームシアターを実現し、快適な室内空間や環境を提供することにある。
【０００９】
【課題を解決するための手段】
【課題を解決するための手段】
本発明の収納型ホームシアターシステムは、映像，音響機器とフロント投射型のプロジェクタ、及び、スクリーン面で構成される一般的なホームシアターシステムにおいて、スクリーン面に隣接し、映像、音響機器等が共に収納される共通の収納家具の中に、プロジェクタが収納され、このプロジェクタ使用時に、プロジェクタ本体が前記収納家具から分離しない構造としたことを特徴とする。
また、前記は収納家具に引き出し構造を有し、この引き出し構造を引出すことで前記プロジェクタを使用することを特徴とする。
また、プロジェクタは最終段に非球面ミラーを配したことを特徴とする。
また、前記収納家具の天面中央部は、四角く切り欠かれ、スライド板が内部に収納される構造とし、引出しの背面板の上部には回転板が具備され、回転板は２７０度回転する機構と構造を有していることを特徴とする。
また、前記収納家具にスクリーン面へ入る外光の量を軽減させる機能を持たせるため収納家具で囲う構造にする、あるいは収納家具の上部と両サイドに遮光板を具備することを特徴とする。
また、壁を挟んで隣接する二部屋において、一方の部屋で使用するプロジェクタの収納スペースを他方の部屋の空間と壁を用いて構成したことを特徴とする。
また、プロジェクタが壁及び他方の部屋の空間に収納され、使用時にプロジェクタを壁面に対して垂直方向に引出してプロジェクタの設置を行う、ことを特徴とする。
また、壁を挟んで隣接する部屋の壁面及び他方の部屋の空間を使うことにより、プロジェクタ及び、ホームシアターを構成する全ての映像、音響機器を壁の内部へ収納したことを特徴とする。
また、壁を挟んで隣接する二部屋で共有可能なプロジェクタの収納スペースと、床に設置されたレール上をレールに沿って移動する構造を有するプロジェクタの置き台と、置き台上に設けられた回転機構により、両方の部屋のスクリーン面へ画像を投射可能にしたことを特徴とする。
また、プロジェクタは最終段に非球面ミラーを配し、投射画面が常にプロジェクタ本体より上方に位置される光学特性を持つことを特徴とする。
【００１０】
【発明の実施の形態】
次に、本発明の実施の形態について図面を参照して詳細に説明する。図１は本発明の第１の実施形態における１実施例を示すものである。図１において、非球面ミラー１０を有するフロント投射型のプロジェクタ１は、収納家具４の一部である引き出し部分２の中に置かれ、収納家具４の中央部に収納される。
【００１１】
ここで、プロジェクタ１は、非球面ミラーにより拡大した画像を投射するフロント投射型のプロジェクタであり、図９に示される投射特性を有している。図９は、プロジェクタの背面端からスクリーン面までの距離と画面サイズの関係、及び、投射角度を表している。図９に示す特性は、プロジェクタ１の光学特性の一設計例であって、特性の仕様変更は可能であるので本発明におけるプロジェクタの特性が図９の特性に限定されるものでは無い。
【００１２】
また、本プロジェクタの寸法・重量に関しては、ミラーが起立した状態で、高さ３０ｃｍ、奥行き３０ｃｍ、幅４０ｃｍ弱、重量５ｋｇ程度のものであり、サイズ・重量は更に小型化が可能である。収納家具４は、本実施形態においては予め壁２３に固定されて設置されたものであるが、必ずしも壁に取付けられたものである必要は無い。収納家具４の上方部分には、プロジェクタ１より投射される画像を画像の切れなく映し出せるスペースを有するスクリーン面が確保されている。本実施形態では壁２３の表面を直接スクリーンとして使用している。ここで、スクリーンとしての壁の表面は、画像を投射するのに適した条件を満たしているものとする。スクリーンとして要求される壁面の条件としては、白色で無地であること、拡散性が高く反射が少ないこと、表面に大きな凹凸が無くなめらかで反りや段差等が無いことである。また、スクリーンの両サイドには、収納家具５が配置され、スクリーンの上方は収納家具６が天井面まで配置されている。
【００１３】
本実施形態では、この様に壁の全面を用いてホームシアターシステムを構成したもので説明しているが、必ずしも壁全面を使用する必要は無い。しかしながら、壁全面を使用してスクリーン面を収納家具で囲う構造にすることにより、外光が有る場合に、スクリーン面への外光の進入を多少なりとも遮り、画像のコントラストの改善を図ることができる。
【００１４】
また、図６に示されている様に、上部と両サイドの収納家具に遮光板１２、１３を具備することにより更にコントラストの改善を図ることができる。そして、収納家具４と５にはホームシアターを実現するために必要な映像再生機器、音声アンプ、スピーカー、等が収納されホームシアターシステムが構成されている。
【００１５】
本実施形態によるホームシアターシステムは、ホームシアターを使用していないときには、プロジェクタ１が図１（Ｃ），（Ｄ）に示される様に家具４の中に収納され、収納家具４は図１（Ｃ）に示される様にプロジェクタ１のミラーを開いたままでも収納可能な高さに設計されている。次に、ホームシアターを使用する時には、プロジェクタ１が置かれた収納家具４の引き出し２が引き出される。引き出し２はある引き出し位置でストップが掛かり脱落することは無い構造を有する。
【００１６】
引き出しの構造自体は、一般の事務机や家具等に使用されている構造と同様のものである。但し、引き出し時の左右のぶれや、上下のぶれが極力小さくなる様に寸法、加工等にはある程度高い精度が要求される。また引き出して止めた位置から容易に動くことが無い様に、ある程度の保持機能を有するが、これらの方法は既知の方法により実現可能であるので説明は行わないものとする。そして、引き出されたプロジェクタにより画像がスクリーン面３へ投射されるが、ここで、収納家具４はプロジェクタの光路と干渉しない構造と寸法に設計されている。この図１の実施例では画面サイズは８５インチ位になるが、収納家具４の寸法は、奥行き４５ｃｍ、高さ４５ｃｍ程度と極めて小さい。また、プロジェクタ部分の引き出し量は、奥行き方向で４０ｃｍ程度である。
【００１７】
図１の実施例では、引出し２を引出していき画像が切れなくスクリーン面３へ投射されるのは、引き出し２を最も引出した辺りとなり、途中の位置では画像の下側が収納家具４によりさえぎられる。したがって、図１の実施例では、プロジェクタミラーを立てたまま収納しておき、使用時に引出し２を最も手前まで引出せば、焦点距離、画面サイズ、位置は一定であり、使用時に調整は要らない。
【００１８】
また、実施形態は、４：３のアスペク比の画面を用いているので、１６：９仕様の画像を４：３画面上の上部位置に出す様にプロジェクタを設定すれば、１６：９画面は、引出し２の位置設定により画面サイズが可変できる。
【００１９】
図１の実施例は収納家具の奥行きを小さくできることを特徴としている。しかしながら、上述の様に構造的に画面サイズの可変ができない。そこで、画面サイズに自由度を持たせられる構造にした実施例が図２および図３に示されている。図２および図３の実施例では図１の実施例に対して収納家具４の高さを下げ、奥行きを伸ばしている。そして、収納家具４の天板の構造と引き出し２の構造を変更している。収納家具４の天面中央部は、図２および図３に示される様に四角く切り欠かれ、スライド板１５が内部に収納される構造となっている。また、引出し２の背面板の上部には回転板１６が具備され、回転板１６は２７０度回転する機構と構造を有している。図２および図３の実施例では、プロジェクタ１はミラー１０を起立した状態でも収納家具４へ収納される。この特、収納家具４の天板に具備されたスライド板１５は天板の中、又は、裏面に収納される。
【００２０】
また、引出し２に具備された回転板１６は開いた状態にあり、引出し２の背面板と平行な位置関係に置かれる。この状態に置いては、図２（Ｃ），図３（Ｃ）に示される様に収納家具４の天板が一部開放された状態にあるので、プロジェクタ１はミラーが当ることなく収納され、かつ、収納した状態で投射されるプロジェクタ１の光路７も収納家具４と干渉しない切り欠き構造を収納家具４は有している。
【００２１】
この様な構造により、引き出し２が収納された状態から最大に引き出された状態へのプロジェクタ１の移動に対して、常に画像が切れなく投射される。図２および図３の実施例では、画面サイズが約５５インチから８５インチ或いは、１００インチ位まで可変できる。また、プロジェクタ１をミラーを立てたまま収納した状態において、スライド板１５を閉じてもスライド板１５はミラーに届かずミラーが傷つくことは無い。ミラー１０を閉じて収納する場合には、スライド板１５と合わせて回転版１６を閉じることによって、収納家具４の天板の切り欠き構造部分は閉じられる。ここで回転板１６は水平位置で回転が止まる構造となっており、プロジェクタ側へ水平以上に落ちこむことは無い。実施形態２による収納家具２のサイズは、奥行５５ｃｍ，高さ４０ｃｍ程度となる。
【００２２】
次に図４の実施例を説明する。図４による実施例は、天井側の収納家具６に引き出し２ｂを設けプロジェクタ１を上に配置したものである。この場合、図１の実施例における収納家具４の様にプロジェクタを覆う必要が無いのでプロジェクタの高さ方向の位置関係を変更することができ、画面サイズ８０インチ程度であれば収納家具の奥行きを４０ｃｍと極めて短くできる。引き出しの位置が高いので引き出し難くならない様に引き出し２ｂには取っ手が具備される。また、図４の実施例では、プロジェクタの光路７が上にあるので、図１、図２、３の実施例の場合に対して収納家具４上のスペースに物を置いても影にならないという利点もある。
【００２３】
次に図５の実施例について説明する。図５による実施例は、前述の実施例が壁全面を使用してシステムが構成されているのに対して、最小限の寸法で独立したひとつの装置の様にシステムが構成され、システムの設置自由度が非常に大きいことを特徴としている。基本構造は前述の図１、図２および図３の実施例における収納家具４の部分を独立させたものであるが、収納家具４のサイズを小さくすることと使いやすさに工夫をしている。具体的には、収納家具４の奥行き寸法を短く維持しながら高さ寸法を下げている。収納家具４に切り欠きを設け、引出し２に回転板を具備する点は、図２および図３の実施例と同様であるが、図２および３の実施例がプロジェクタのミラーを立てて収納したまま投射できる構造にしていたのに対し、図５による実施例は、ミラーを立ててプロジェクタを収納した時のミラー保護だけを切り欠きの目的としている。従って、ユーザーは、容易にプロジェクタの引出し、収納ができるので使い易い。
【００２４】
図８の実施例は、図１の実施例における天井側の収納家具６にロールスクリーンを具備し、ロールスクリーン上へ投射する構成にしたものである。これは、収納家具４の上に物を置いていたり、壁にものが掛けてあって壁に投射できない場合に対応するものである。投射面が手前に来るため画面サイズが小さくなるので、図８の実施例では、下側の収納家具４の奥行寸法が大きくなる。
【００２５】
この様に第一の実施形態による実施例では、ホームシアターを構成する映像・音響機器を収納し、引き出し構造を有する収納家具の引き出しの内部に、極めて投射距離が短く投射角度が高いフロント投射型プロジェクタを配置し、引き出しを引き出すだけでプロジェクタが使える構造と構成にしているので、各機器間の接続するケーブル類が外部に露出することが無く、観察者の影がスクリーンに出ることが無く、プロジェクタの設置が非常に簡単で、設置調整が要らず、極めて使い勝手の良いホームシアターシステムが実現できる。
【００２６】
また、引き出し構造であることにより、プロジェクタと一体でありあがら収納家具の奥行きを小さくすることができ、極めて省スペースなホームシアターシステムを実現できる。例えば、たった３畳のスペースで画面サイズ９０インチ（４：３アスペクト比の場合）のホームシアターをゆったりと座った状態で楽しむことが可能となる。
【００２７】
また、図５の実施例の様に、収納家具を一つの装置として分離した構造にすれば、設置自由度の高いホームシアターシステムが実現できる。また、図６の実施例の様に、スクリーンの周囲を収納家具で囲い、収納家具に遮光板を具備することによりスクリーン面に外光が入射する環境において画面上のコントラストを改善する効果が得られる。
【００２８】
次に、本発明の第２の実施形態における実施例を説明する。図１０は、第２の実施形態における基本的な構造を示すものである。図１０において、非球面ミラー１０を有するフロント投射型のプロジェクタ１は置き台５１上に設置され、置き台は部屋の壁２３に対して垂直方向に床８上を移動する構造を有している。プロジェクタ１は置き台５１と共に、壁２３に設けられた収納部４０に収納される。収納状態においては、置き台５１の背面に具備されている板により、壁２３の収納部４０の開口部は覆われるので壁の表面には収納部の引き出し板５２が見えるだけで普通の壁面と同様の平らな状態となる。また、図１０の実施例において、プロジェクタ１を使用する時には、プロジェクタの置き台５１の背面板５２に具備される取っ手構造により手動で引き出される。ここで、置き台５１は、壁面に対して垂直に引き出される様な機構、又は、構造を有し、収納部４０や床８に具備される構造と組み合わされて機能するが、その構造例を図１４、図１５に示す。
【００２９】
図１４に示される構造例は、アンテナ等で使用される様な伸縮する円筒状のシャフト５３を用いて収納、引き出しを行うものである。シャフト５３は置き台５１の内部に収納され、置き台の背面版５２と壁２３の収納部４０の内壁の間で適当な部材を介して固定される。また、置き台４０の底面には移動を滑らかにするために球状、又は、車輪状の回転する移動補助機構が具備される。
【００３０】
図１５は、別の引き出し機構を使用する例である。図１５において、床面８にはレール５４が設置され、置き台５１には、レール５４上を移動するための車輪５５が具備されている。この構造により置き台は、レールに沿って移動するので常に固定された軌道上を移動することができる。図１５では一例としてレールと車輪という構造をとっているが、この構造に限定される訳では無く、予め床に設置された何らかの軌道と、その軌道上の移動を可能にする機構や構造が置き台５１に具備されていれば良い。
【００３１】
また、図１４、図１５で示された引き出し機構は、どの引き出し位置でも確実に固定し、また不意にプロジェクタの位置が動かない様にするため、ある程度以上の力で初めて動く様考慮されるものである。これらの機構自体は、既存の技術で容易に実現できるものであるので詳細な説明は行わない。
【００３２】
図１１はプロジェクタ使用時と収納時の状態を示している。図１１（Ａ）は正面から見た使用状態、及び、投射される画面サイズとその位置の関係も示すものである。本実施形態では、２．４ｍの高さの天井を持つ室内で、４：３アスペクト比の場合、約１００インチまでの画面サイズが投射可能である。図１１（Ｂ）は収納時の室内景観を示している。図１１（Ｃ）は、使用時と収納時の状態変化と収納構造を示すものでり、収納部４０は壁を挟んだ隣室側の空間に設けられる。隣室側では、壁から突起した収納部４０と同じ奥行を持った収納棚４２が壁に設置され、収納棚４２の一部にプロジェクタの収納部４０が組込まれている。この様に隣室の壁収納家具等と融合させることによって、プロジェクタの収納部４０の部分を室内空間から消し去って、室内空間を圧迫することなく、隣室の室内環境に調和した形態でプロジェクタを収納することが出きる。
【００３３】
図１２に、隣室の収納棚にプロジェクタ収納部４０が包含された具体例を示す。図１２からプロジェクタの収納部４０が収納棚の一部に違和感無く一体化していることが理解できる。収納棚の奥行きは３０ｃｍ程度ででき通常の収納棚と変わらない。
【００３４】
図１３（Ａ）は隣室に扉で開閉する様な収納棚が配置された場合の構造を示すものである。また、図１３（Ｂ）は、隣室が単なる置き台、又は、収納台である場合を示している。以上は、本発明の第２の実施形態の基本構造に関する説明である。
【００３５】
次に第２の実施形態により構成されるホームシアターシステムの実施例を説明する。図１６，図１７は、全てを壁の中に収納させることができるシステムの実施例を示している。図１６，図１７においては、プロジェクタ１が図１０、図１２の実施例と同様に壁に収納されることに加えて、ホームシアターシステムを構成する全ての映像、音響機器が、壁を挟んだ隣室の収納棚４２の内部に設けられたスペース４５に収納される。また、この収納スペース４５はプロジェクタ１の光路が干渉しない位置に設置されている。図１６，図１７の実施例では、画面サイズは１００インチ程度となる。図１７（Ａ）は隣室の具体的な状態例を示しているが、違和感無く収納棚として機能している。
【００３６】
次にもう一つの実施例を説明する。図１８および図１９は、壁を挟んで隣接する二部屋で共有するプロジェクタの収納スペースを設けることによって、二つの部屋がお互いに同様の使い勝手でホームシアターシステムが実現できる構造と構成を示すものである。図１８および図１９において、壁を挟んで隣接する二つの部屋Ａ，Ｂ間に共通のプロジェクタ収納スペース４０が設けられ、収納スペース４０は部屋Ｂの壁面に設置された収納家具４７の中に含まれている。プロジェクタの収納部には両方の部屋に各々開閉扉が具備され、扉を開いてプロジェクタを引き出す構造になっている。プロジェクタは置き台５６設置されるが、間に１８０度回転する機構を有する回転盤５７を介して設置されている。回転盤５７は、０度と１８０度の二ヶ所で各々ロックできる構造となっている。置き台は、床に設置されたレール５４に沿って移動する機構、又は、構造を有する。床に設置されるレール５４は二部屋にまたがって設置されている。収納家具４７はプロジェクタの光路を遮らない高さと奥行きを有している。この様な構造と構成にすることによって、二部屋において、同様の使い勝手で各々ホームシアターを実現することができる。図１９（Ａ），（Ｂ）は、隣接した部屋Ａ，Ｂが各々の部屋でホームシアターシステムを構成している具体的な状態を示している。この様に第２の実施形態による実施例では、壁の内部にプロジェクタを収納させ、使用時に壁からプロジェクタを引き出す際には、プロジェクタが壁面に対して垂直に引き出せる構造を有しているので、プロジェクタを使用しないときには、部屋のスペースがフルに活用でき、プロジェクタを使用する場合は、非常に簡単な作業だけでプロジェクタの設置ができる。
【００３７】
また、図１６の実施例の様に、映像・音響機器類を収納するスペースを壁を通して隣室の空間に作り、それを隣室の収納家具の中に融合させる構造にしたことにより、双方の室内空間が損なわれること無くホームシアターが実現できるという快適な環境を実現できる。また、図１８および図１９の実施例の様に、壁を挟んで隣接する二部屋でプロジェクタの収納スペースを共有できる構造と構成にすることにより、二部屋で快適なホームシアター環境を実現することができると同時に、プロジェクタ自体の有効活用も図ることができる。
【００３８】
また、全ての実施形態は、図９に示されたプロジェクタの投射仕様に基づいて説明されているが、図９に示された投射特性の設計変更は可能であるので、更に、投射距離を短くしたり、投射角度を変えることによって、より省スペースで使い勝手の良いホームシアターシステムとすることも可能である。但し、投射距離を短くするほど投射する壁面の状態（凹凸、隆起、拡散度、等）に依存する画像歪や解像度劣化が発生しやすくなってくるので注意が必要である。
【００３９】
【発明の効果】
以上説明したように、本発明は、次のような効果を奏する。第１の効果は、プロジェクタの設置工事を必要としないフロント投射型プロジェクタによる大画面のホームシアターシステムでありながら、プロジェクタの設置・片付けの手間が無く、光路の干渉を気にせずに自由な位置から映像を見ることができ、ケーブル配線が邪魔にならず、小さなスペースで大画面のホームシアターシステムが実現できることである。その理由は、非球面ミラーにより極めて短い投射距離と高い投射角度を有するフロント投射型プロジェクタと、このプロジェクタの特性を活かし最小の奥行き寸法で大画面をスクリーン面へ投射できる構造を有し、ホームシアターシステムに必要な映像・音響機器を合わせて収納できる家具とでホームシアターシステムを構成していることによる。また、プロジェクタを収納家具の引出し構造部に配し、引出しを引き出す作業だけでプロジェクタが使用でき、光路が干渉しない構造にしていることによる。
【００４０】
第２の効果は、６０〜１００インチという大画面でありながら一般のオーディオシステムやＡＶシステムと同等の奥行きに収まり、ＴＶの様に気軽に使えるホームシアターシステムを実現できることである。その理由は、本発明によるシステムが、フロント投射型のプロジェクタがホームシアターシステムを収納する家具と共に収納されていて家具から分離することなく使用でき、かつフォーカス調整や投射位置調整等を毎回しなくても使用できる構造を備えていることによる。特に引出し構造により使用時のみプロジェクタが現れる構造であるので、プロジェクタが一体化したシステムでありながらシステム全体の奥行きは極めて小さくなっている。また、投射光を人が遮ることが無く快適に画像を楽しめる。また、プロジェクタのミラーを開いたまま収納できる構造を有しているのでミラーの開閉状態を気にせずに使用することができる。
【００４１】
第３の効果は、室内の空間を全く損なうことなくホームシアターシステムを実現できるということである。その理由は、図１６および図１７に示されている様に、壁の中にプロジェクタ及び、ホームシアターを構成する映像・音響機器を収納し、使用時のみプロジェクタが現れ、設置の手間も簡単に済む構成と構造にしていることによる。また、プロジェクタと他の機器の収納スペースとして使用される隣室の空間も隣室側の収納家具等と調和される構造にしているので美観を含め室内空間を損なうことが無い。
【００４２】
第４の効果は、１台のプロジェクタにより、二つの部屋で据え置き型のホームシアターシステムを実現できることである。その理由は、図１８および図１９に示されている様に、壁を挟んで隣接する二部屋で共有可能なプロジェクタの収納スペースを設け、プロジェクタが床に設置されたレール上を移動して両方の部屋の壁に画像を投射できる構造と構成にしているので、各々の部屋においては、プロジェクタを壁、又は、家具から引出し簡単にホームシアターを楽しむことができる。
【図面の簡単な説明】
【図１】本発明の第１の実施形態の実施例１の構成を示す概略図である。
【図２】本発明の第１の実施形態の実施例２の構成を示す概略図である。
【図３】本発明の第１の実施形態の実施例２の構成を示す概略図である。
【図４】本発明の第１の実施形態の実施例３の構成を示す概略図である。
【図５】本発明の第１の実施形態の実施例４の構成を示す概略図である。
【図６】本発明の第１の実施形態の実施例５の構成を示す概略図である。
【図７】本発明の第１の実施形態の実施例５の構成を示す概略図である。
【図８】本発明の第１の実施形態の実施例６の構成を示す概略図である。
【図９】プロジェクタの投射特性を示す特性図である。
【図１０】実施形態２による実施例１の構成を示す概略図である。
【図１１】実施形態２の使用時・収納時における概略図である。
【図１２】実施形態１の隣室形態例における概略図である。
【図１３】収納形態例の構成を示す概略図である。
【図１４】引き出し構造例１の構成を示す概略図である。
【図１５】引き出し構造例２における概略図である。
【図１６】実施形態２による実施形態２の構成を示す概略図である。
【図１７】実施形態２による実施形態２の構成を示す概略図である。
【図１８】実施形態２による実施形態３における概略図である。
【図１９】実施形態２による実施形態３における概略図である。
【図２０】従来例の構成を示す概略図である。
【符号の説明】
１    プロジェクタ
２    引き出し
３    投射画面
４    収納家具ａ
５    収納家具ｂ
６    収納家具ｃ
７    プロジェクタの投射光路
８    床
９    天井
１０    非球面ミラー
１２    遮光板ｃ
１３    遮光板ｂ
１５    スライド板
１６    回転板
１７    収納家具ｄ
２１    スピーカー
２２    映像・音響機器
２３    壁
３１    従来のプロジェクタ例１
３２    従来のプロジェクタ例２
３３    テーブル
３４    従来の観察者
３５    本発明での観察者
４０    プロジェクタ収納部
４２    収納棚
４３    収納家具
４４    壁収納家具
４５    壁埋め込み棚
４６    映像・音響機器ｂ
４７    収納家具
４８    開閉扉Ａ
４９    開閉扉Ｂ
５１    プロジェクタ置き台
５２    置き台背面板
５３    伸縮筒
５４    レール
５５    車輪
５６    回転盤
５７    プロジェクタ置き台
【図１】
2004260564.tif 000003
【図２】
2004260564.tif 000004
【図３】
2004260564.tif 000005
【図４】
2004260564.tif 000006
【図５】
2004260564.tif 000007
【図６】
2004260564.tif 000008
【図７】
2004260564.tif 000009
【図８】
2004260564.tif 000010
【図９】
2004260564.tif 000011
【図１０】
2004260564.tif 000012
【図１１】
2004260564.tif 000013
【図１２】
2004260564.tif 000014
【図１３】
2004260564.tif 000015
【図１４】
2004260564.tif 000016
【図１５】
2004260564.tif 000017
【図１６】
2004260564.tif 000018
【図１７】
2004260564.tif 000019
【図１８】
2004260564.tif 000020
【図１９】
2004260564.tif 000021
【図２０】
2004260564.tif 000022